(57)【要約】      （修正有）【課題】金属異物が突き刺さったときあるいは貫通したときに、短絡を防ぐことが可能なリチウムイオン二次電池を得る。【解決手段】リチウムイオン二次電池Ｄ１は、正極シートと負極シートをセパレータを介して捲回した捲回電極群２１と、捲回電極群２１を収納する電池容器１１を有するリチウムイオン二次電池Ｄ１であって、捲回電極群２１と電池容器１１との間に伸縮性を有するゴム系絶縁性樹脂シート１２を設けたことを特徴としている。これによれば、金属異物が突き刺さったときあるいは貫通したときに、電池容器１１内に進入した金属異物に沿ってゴム系絶縁性樹脂シート１２を伸張させて、金属異物と捲回電極群２１の正極シート及び負極シートとの間にゴム系絶縁性樹脂シート１２を介在させることができる。【選択図】図２
2013073809.tif 000002
【特許請求の範囲】
【請求項１】
正極シートと負極シートをセパレータを介して捲回した捲回電極群と、捲回電極群を収納する電池容器を有するリチウムイオン二次電池であって、
前記捲回電極群と前記電池容器との間に伸縮性を有するゴム系絶縁性樹脂シートを設けたことを特徴とするリチウムイオン二次電池。
【請求項２】
前記ゴム系絶縁性樹脂シートは、ウレタンゴム、エチレンプロピレンゴム、ニトリルゴムのうち少なくとも一種以上から成ることを特徴とする請求項１に記載のリチウムイオン二次電池。
【請求項３】
前記捲回電極群は、正極シートと負極シートをセパレータを介して扁平状に捲回した扁平形捲回電極群であり、
前記電池容器は、前記扁平形捲回電極群の平坦面に対向する一対の幅広壁部を有する角形の電池容器であり、
前記ゴム系絶縁性樹脂シートは、前記扁平形捲回電極群の平坦面と前記電池容器の幅広壁部との間に介在されていることを特徴とする請求項２に記載のリチウムイオン二次電池。
【請求項４】
前記捲回電極群は、正極シートと負極シートをセパレータを介して円筒状に捲回した円筒形捲回電極群であり、
前記電池容器は、前記円筒形捲回電極群を収容可能な円筒状の電池容器であり、
前記ゴム系絶縁性樹脂シートは、前記円筒形捲回電極群と前記電池容器の内壁部との間に介在されていることを特徴とする請求項２に記載のリチウムイオン二次電池。
【請求項５】
前記ゴム系絶縁性樹脂シートは、前記捲回電極群の捲回中心部に設けられていることを特徴とする請求項１から請求項４のいずれか一項に記載のリチウムイオン二次電池。
【請求項６】
前記ゴム系絶縁性樹脂シートは、扁平形捲回電極群の少なくともセパレータの範囲を覆う大きさを有していることを特徴とする請求項３に記載のリチウムイオン二次電池。
【発明の詳細な説明】
【技術分野】
【０００１】
本発明は、例えば車両に搭載されるリチウムイオン二次電池に関する。
【背景技術】
【０００２】
リチウムイオン二次電池は、他の二次電池と比較してエネルギー密度が高いため、昨今では主にデジタルカメラやノート型パソコン、携帯電話などのポータブル機器に多く使用されている。また近年は環境問題に対応すべく、電気自動車用や電力貯蔵用を目的とする、大型のリチウムイオン二次電池の研究開発が活発に行われている。特に、自動車産業界においては、動力源としてモータを用いる方式の電気自動車や内燃機関とモータとの両方を用いるハイブリッド方式の電気自動車の開発が進められており、その一部はすでに実用化されている。
【０００３】
このリチウムイオン二次電池、特に車載用については、内在するエネルギーが非常に大きいため、高い安全性と信頼性が求められる。車載用では、車両事故を想定してリチウムイオン二次電池に金属異物が外部から貫通し、広範囲な短絡を引き起こした場合でも安全性に影響を与える事象を招かないことが必要である。
【０００４】
上記のような短絡が発生した場合の対策として、コア（軸芯）の内壁の一部に連設された導電性部材を有し、係る導電性部材の内部にエネルギー放出用の負荷を設ける構造が提案されている（特許文献１）。また、電極組立体とケースの間に第１の導電板と近接して重なる第２の導電板を配置して、貫通または圧壊の際に前記導電板が最も先に短絡される構造が提案されている（特許文献２）。
【先行技術文献】
【特許文献】
【０００５】
【特許文献１】特開２００１−１１８６０４号公報
【特許文献２】特開２０１１−１１９２６０号公報
【発明の概要】
【発明が解決しようとする課題】
【０００６】
しかしながら、特許文献１、特許文献２における方法では、電池に短絡自体が生じることに変わりはなく、短絡時に発熱を生じることが懸念される。また意図的に短絡経路を設けることは、衝撃や振動など、想定以外の状況で短絡が生じ、安全性が損なわれる事象を招く恐れがある。
【０００７】
本発明は、上記問題点に鑑みてなされたものであり、その目的とするところは、金属異物が突き刺さったときあるいは貫通したときに、短絡を防ぐことが可能なリチウムイオン二次電池を提供することである。
【課題を解決するための手段】
【０００８】
上記課題を解決する本発明のリチウムイオン二次電池は、正極シートと負極シートをセパレータを介して捲回した捲回電極群と、捲回電極群を収納する電池容器を有するリチウムイオン二次電池であって、前記捲回電極群と前記電池容器との間に伸縮性を有するゴム系絶縁性樹脂シートを設けたことを特徴とする。
【発明の効果】
【０００９】
本発明によれば、金属異物が突き刺さったときあるいは貫通したときに、電池容器内に進入した金属異物に沿ってゴム系絶縁性樹脂シートを伸張させて、金属異物と正極シート及び負極シートとの間にゴム系絶縁性樹脂シートを介在させることができる。したがって、金属異物が正極シート及び負極シートに直接接触して短絡が発生するのを防ぐことができ、広範囲な短絡によって生じる電池温度の過度の上昇を防止することができる。また、衝撃や振動など、想定以外の状況での短絡発生が生じる可能性も排除できる。なお、上記した以外の課題、構成及び効果は、以下の実施形態の説明により明らかにされる。
【図面の簡単な説明】
【００１０】
【図１】本発明の一実施形態であるリチウムイオン二次電池の扁平形捲回電極群の一部を展開した状態を示す外観斜視図。
【図２】本発明の一実施形態であるリチウムイオン二次電池の分解斜視図。
【図３】本発明の一実施形態であるリチウムイオン二次電池の外観斜視図。
【図４】本発明の一実施形態であるリチウムイオン二次電池の電池作製工程のフローチャート。
【図５】本発明の一実施形態であるリチウムイオン二次電池の扁平形捲回電極群、およびゴム系絶縁性樹脂シートの配置状態を説明するイメージ図。
【図６】図５のVI−VI線断面図であり、本発明の一実施形態であるリチウムイオン二次電池の扁平形捲回電極群とゴム系絶縁性樹脂シートの構成例を説明する断面図。
【図７Ａ】本発明の一実施形態であるリチウムイオン二次電池のゴム系絶縁性樹脂シートによる短絡防止メカニズムを説明する模式図。
【図７Ｂ】本発明の一実施形態であるリチウムイオン二次電池のゴム系絶縁性樹脂シートによる短絡防止メカニズムを説明する模式図。
【図８Ａ】本発明の一実施形態であるリチウムイオン二次電池の扁平形捲回電極群とゴム系絶縁性樹脂シートの他の構成例を説明する断面図。
【図８Ｂ】本発明の一実施形態であるリチウムイオン二次電池の扁平形捲回電極群とゴム系絶縁性樹脂シートの他の構成例を説明する断面図。
【図８Ｃ】本発明の一実施形態であるリチウムイオン二次電池の扁平形捲回電極群とゴム系絶縁性樹脂シートの他の構成例を説明する断面図。
【図９Ａ】本発明の一実施形態であるリチウムイオン二次電池の円筒形捲回電極群とゴム系絶縁性樹脂シートの構成例を説明する断面図。
【図９Ｂ】本発明の一実施形態であるリチウムイオン二次電池の円筒形捲回電極群とゴム系絶縁性樹脂シートの他の構成例を説明する断面図である。
【発明を実施するための形態】
【００１１】
以下、図１〜図９を参照して、本発明のリチウムイオン二次電池の実施形態について説明する。
【００１２】
図１は、本発明の一実施形態であるリチウムイオン二次電池の扁平形捲回電極群の一部を展開した状態を示す外観斜視図である。扁平形捲回電極群２１は、一定幅の未塗工部１aを有する正極シート１と、一定幅の未塗工部２aを有する負極シート２を、セパレータ３、４を介して、互いの未塗工部１ａ、２ａが逆になるように、より詳しくは、幅方向一方側と他方側に分かれて配置されるように、重ね合わせた状態で捲回することによって構成されている。
【００１３】
＜電極作製（正極シート）＞
正極活物質としてリチウム遷移金属複合酸化物と、導電助剤として鱗片状黒鉛と、結着剤としてポリフッ化ビニリデン（ＰＶＤＦ）とを重量比８５：１０：５で混合し、これに分散溶媒のＮ−メチルピロリドン（ＮＭＰ）を添加、混練したスラリを、厚さ２０μｍのアルミニウム箔（正極金属箔）の両面に塗工した。その後、乾燥、プレス、裁断することにより、塗工部（正極合剤層）１ｂの幅が８０ｍｍ、厚さが１３０μｍ、電極長が４ｍの正極シート１を得た。なお、アルミニウム箔の長尺方向の片側端部には、連続して形成した未塗工部１ａを配し、その部分を正極リードとした。
【００１４】
＜電極作製（負極シート）＞
負極活物質として非晶質炭素粉末、結着剤としてＰＶＤＦを添加し、これに分散溶媒のＮＭＰを添加、混練したスラリを、厚さ１０μｍの圧延銅箔（負極金属箔）の両面に塗工した。その後、乾燥、プレス、裁断することにより、塗工部（負極合剤層）２ｂの幅が８４ｍｍ、厚さが１１０μｍ、電極長が４．４ｍの負極シート２を得た。なお、圧延銅箔の長尺方向の片側端部には、連続して形成した未塗工部２ａを配し、その部分を負極リードとした。
【００１５】
＜電池組立＞
上記作製した正極シート１と負極シート２を、これら両極が直接接触しないように幅９０ｍｍ、厚さ３０μｍのポリエチレン製からなる微多孔性のセパレータ３およびセパレータ４と重ね合わせて捲回して扁平形捲回電極群２１を作製した。扁平形捲回電極群２１は、正極シート１、負極シート２、セパレータ３、セパレータ４とも長尺方向に１０Ｎの荷重をかけて伸展しつつ、各電極（正極シート１、負極シート２）の端面およびセパレータ３、４の端面が一定位置になるように蛇行制御しながら作製した。扁平形捲回電極群２１の捲回中心部には、セパレータ３およびセパレータ４を一層以上配した。このとき、正極未塗工部１ａと負極未塗工部２ａとが、それぞれ扁平形捲回電極群２１の互いに反対側の端部（捲回軸方向一方側の端部と捲回軸方向他方側の端部）に位置するようにした。
【００１６】
図２は、本発明の一実施形態であるリチウムイオン二次電池の分解斜視図である。
リチウムイオン二次電池Ｄ１は、扁平形捲回電極群２１と、扁平形捲回電極群２１を収容する角形の電池容器１１と、電池容器１１の開口部を封口する電池蓋９を有する。
【００１７】
電池容器１１は、深絞り加工により形成されており、底壁部の一対の長辺部からそれぞれ立ち上がり対峙する幅広壁部ＰＷと、底壁部の一対の短辺部からそれぞれ立ち上がり対峙する幅狭壁部ＰＮとを有する。
【００１８】
電池蓋９は、電池容器１１の開口部を閉塞する矩形の平板部材からなり、その長辺方向中間位置には、電池容器１１内に非水電解液を注液するための注液孔１０が設けられている。そして、電池蓋９には、負極外部端子７と負極集電板５、及び、正極外部端子８と正極集電板６が、図示していない絶縁部材を介してあらかじめ取り付けられている。負極外部端子７と負極集電板５は電気的に導通され、正極外部端子８と正極集電板６も電気的に導通されている。
【００１９】
扁平形捲回電極群２１は、超音波溶接により正極集電板６に正極未塗工部１ａが接合され、負極集電板５に負極未塗工部２ａが接合されている。そして、扁平形捲回電極群２１と電池容器１１の幅広壁部ＰＷとの間には、本発明の特徴構成であるゴム系絶縁性樹脂シート１２が介在されている。
【００２０】
ゴム系絶縁性樹脂シート１２は、扁平形捲回電極群２１の厚さ方向両側にそれぞれ配置されている。また、本実施の形態では、扁平形捲回電極群２１の捲回中心部の中心穴部２１ａ（図１を参照）にも、ゴム系絶縁性樹脂シート１２が配置されている。
【００２１】
これら複数のゴム系絶縁性樹脂シート１２のうち、扁平形捲回電極群２１の厚さ方向両側に配置される一対のゴム系絶縁性樹脂シート１２は、例えば図示していない両面テープや接着剤等によって扁平形捲回電極群２１に固定されている。そして、扁平形捲回電極群２１の少なくともセパレータの範囲を覆う大きさを有している。本実施の形態では、扁平形捲回電極群２１の捲回軸方向の長さとほぼ同一の横長さと、扁平形捲回電極群２１の捲回軸方向に沿う方向でかつ扁平形捲回電極群２１の扁平厚さ方向に直交する方向の長さとほぼ同一の縦長さを有している。
【００２２】
また、扁平形捲回電極群２１の中心穴部２１ａに配置されるゴム系絶縁性樹脂シート１２は、セパレータの捲回軸方向の長さとほぼ同一の横長さと、中心穴部２１ａの長径とほぼ同一の縦長さを有している。
【００２３】
なお、図２では、説明の便宜上、ゴム系絶縁性樹脂シート１２が透明性を有する部材からなるように示しているが、透明性を有している必要はない。それから、特に図示していないが、扁平形捲回電極群２１には、正極集電板６と負極集電板５、及び、扁平形捲回電極群２１の厚さ方向両側に配置された一対のゴム系絶縁性樹脂シート１２を含む全体を外側から覆うように、絶縁保護シートが被せられており、絶縁保護シートが被せられた状態で電池容器１１内に挿入されている。
【００２４】
図３は、本発明の一実施形態であるリチウムイオン二次電池の外観斜視図である。リチウムイオン二次電池Ｄ１は、電池容器１１の開口部が電池蓋９で密閉されている。電池蓋９は、電池容器１１に溶接される。
【００２５】
そして、溶接後に非水電解液が電池蓋９の注液孔１０から電池容器１１内に注入される。扁平形捲回電極群２１全体を浸潤可能な所定量の非水電解液を電池容器１１内に注入した後、注液孔１０は密閉され、リチウムイオン二次電池Ｄ１が完成される。非水電解液には、エチレンカーボネートとジメチルカーボネートとを体積比で１：２の割合で混合した混合溶液中へ六フッ化リン酸リチウム（ＬｉＰＦ６）を１モル／リットルの濃度で溶解したものを用いた。
【００２６】
図４は、本発明の一実施形態であるリチウムイオン二次電池の電池作製工程を説明するフローチャートである。
【００２７】
電池作製工程は、電極作製工程Ｓ１と電池組み立て工程Ｓ２を有する。電極作製工程Ｓ１では、混練Ｓ１１、塗工Ｓ１２、プレスＳ１３、スリットＳ１４の順に行い、電極原反（正極シート１と負極シート２）を作製する。混練Ｓ１１では、活物質と導電助剤および結着剤を所定の重量比で混合し、これに分散溶媒を添加して所定の固形分濃度、粘度に調整したスラリを作製する。
【００２８】
塗工Ｓ１２では、所定厚さの金属箔基材の両面に前記スラリを、所定の幅および所定の重量だけ塗布し、その後溶媒のみを乾燥により除去することで、塗工後電極を作製する。プレスＳ１３では、前記塗工後電極を所定の厚さまでロールプレスにより圧縮することで、プレス後電極を作製する。スリットＳ１４では、前記プレス後電極を、所定の塗工部幅、および所定の未塗工部幅に裁断し、電極原反を作製する。
【００２９】
電池組み立て工程Ｓ２では、電極作製工程Ｓ１で作製した電極原反（正極シート１と負極シート２）を用い、捲回Ｓ２１、集電板溶接Ｓ２２、缶挿入Ｓ２３、缶溶接Ｓ２４、注液Ｓ２５の工程を経て、リチウムイオン二次電池Ｄ１を作製する。
【００３０】
捲回Ｓ２１では、正極シート１と負極シート２を、両極が直接接触しないように、セパレータ３、４を介して、場合により捲回軸芯を用い、共に捲回して捲回電極群２１を作製する。また、正極シート１及び負極シート２の端面およびセパレータ３、４の端面が一定位置になるように蛇行制御しながら、正極未塗工部１ａと負極未塗工部２ａとが、捲回電極群２１の互いに反対側の端部（捲回軸方向一方側と他方側）に位置するように作製する。それから、捲回電極群２１の捲回中心部の中心穴部２１ａにゴム系絶縁性樹脂シート１２を配置する。
【００３１】
集電板溶接Ｓ２２では、正極集電板６と負極集電板５に、捲回電極群２１の正極未塗工部１ａと負極未塗工部２ａをそれぞれ超音波溶接により接合する。なお、正極集電板６と負極集電板５は、予め電池蓋９に取り付けられており、正極外部端子８及び負極外部端子７に接続されている。
【００３２】
缶挿入Ｓ２３では、捲回電極群２１が電池容器１１内に挿入される。その際、捲回電極群２１の平担面と、対向する電池容器１１の幅広壁部ＰＷとの間には、ゴム系絶縁性樹脂シート１２が配置される。また、捲回電極群２１及びゴム系絶縁性樹脂シート１２の外側には、図示していない絶縁保護シートが被せられる。
【００３３】
缶溶接Ｓ２４では、電池蓋９と電池容器１１をレーザー溶接して開口部を封口する。注液Ｓ２５では、電池容器１１内に、所定量の非水電解液を電池蓋９の注液孔１０から電池容器１１内に注入する。注液孔１０は、図示していない注液栓が取り付けられて、レーザー溶接により密閉される。
【００３４】
図５は、本発明の一実施形態であるリチウムイオン二次電池の扁平形捲回電極群、およびゴム系絶縁性樹脂シートの配置状態を説明するイメージ図、図６は、図５のVI−VI線断面図であり、本発明の一実施形態であるリチウムイオン二次電池の扁平形捲回電極群とゴム系絶縁性樹脂シートの構成例を説明する断面図である。
【００３５】
図５及び図６に示す構成例は、扁平形捲回電極群２１の作製後に、扁平形捲回電極群２１の平坦部両側と電池容器１１との間にゴム系絶縁性樹脂シート１２を配置し、さらに扁平形捲回電極群２１の内周部である中心穴部２１ａにゴム系絶縁性樹脂シート１２を配置することによって作製されたものである。
【００３６】
ゴム系絶縁性樹脂シート１２は、扁平形捲回電極群２１の平坦部両側と電池容器１１の幅広壁部ＰＷとの間に配置され、さらに、扁平形捲回電極群２１の中心穴部２１ａにも配置されており、合計で３枚が配置されている。
【００３７】
これら複数のゴム系絶縁性樹脂シート１２のうち、扁平形捲回電極群２１の厚さ方向両側に配置される一対のゴム系絶縁性樹脂シート１２は、扁平形捲回電極群２１の少なくともセパレータの範囲を覆う大きさを有している。また、扁平形捲回電極群２１の中心穴部２１ａに配置されるゴム系絶縁性樹脂シート１２は、セパレータの捲回軸方向の長さとほぼ同一の横長さと、中心穴部２１ａの長径とほぼ同一の縦長さを有している。
【００３８】
ゴム系絶縁性樹脂シート１２には、伸縮性を有するウレタンゴム、エチレンプロピレンゴム、ニトリルゴムのうち少なくとも1種以上から成る絶縁性樹脂シートを用いることが可能である。
【００３９】
図７Ａと図７Ｂは、本発明の一実施形態であるリチウムイオン二次電池のゴム系絶縁性樹脂シートによる短絡防止メカニズムを説明する模式図である。なお、図中では、電池容器１１とゴム系絶縁性樹脂シート１２との間に介在される絶縁保護シートについては省略している。
【００４０】
扁平形捲回電極群２１の平坦面と電池容器１１の幅広壁部ＰＷとの間に配置されたゴム系絶縁性樹脂シート１２は、電池容器１１の外部から金属異物１４が突き刺されたときあるいは貫通したときに、金属異物１４に沿って伸びることで、金属異物１４による扁平形捲回電極群２１の短絡を防ぐ。
【００４１】
例えば図７Ａに示すように、金属異物１４が電池容器１１を突き破って扁平形捲回電極群２１に扁平厚さ方向一方側である図中上方から他方側である図中下方に向かって突き刺された場合に、ゴム系絶縁性樹脂シート１２は、金属異物１４の周りを被覆するように伸張されて、金属異物１４と扁平形捲回電極群２１との間に介在される。したがって、金属異物１４による扁平形捲回電極群２１の短絡を防ぐことができる。
【００４２】
そして図７Ｂに示すように、金属異物１４が電池容器１１を突き破って扁平形捲回電極群２１に突き刺されて、その先端部分が扁平形捲回電極群２１の中心穴部２１ａよりも深く突き進んだときは、扁平形捲回電極群２１の中心穴部２１ａに配置されたゴム系絶縁性樹脂シート１２が、金属異物１４に沿って伸びることで、金属異物１４による扁平形捲回電極群２１の短絡を防ぐことができる。
【００４３】
したがって、電池容器１１の幅広壁部ＰＷと扁平形捲回電極群２１との間のゴム系絶縁性樹脂シート１２が破れても、中心穴部２１ａに配置されているゴム系絶縁性樹脂シート１２が金属異物１４の周りを被覆するように金属異物１４に沿って伸び、扁平形捲回電極群２１と金属異物１４との間に介在される。したがって、金属異物１４による扁平形捲回電極群２１の短絡を防ぐことができ、短絡による過度の電池温度上昇を回避できる。そして、上記構成を有するリチウムイオン二次電池によれば、従来技術のように、衝撃や振動など、想定以外の状況での短絡が発生するリスクもない。
【００４４】
なお、本発明は、上述の構成に限定されるものではなく、種々の変更が可能である。例えば、上述の構成では、二枚のゴム系絶縁性樹脂シート１２を、扁平形捲回電極群２１の扁平厚さ方向両側にそれぞれ配置して、両面テープ等で固定する場合について説明したが、ゴム系絶縁性樹脂シート１２を扁平形捲回電極群２１の外側に捲回して固定する構成としてもよい。
【００４５】
また、上記構成では、扁平形捲回電極群２１の中心穴部２１ａに、ゴム系絶縁性樹脂シート１２を挿入して配置する場合について説明したが、このゴム系絶縁性樹脂シート１２を省略して中心穴部２１ａに設けない構成としてもよい。
【００４６】
また、上記構成では、ゴム系絶縁性樹脂シート１２とは別に、絶縁保護シートを設けて、捲回電極群２１及びゴム系絶縁性樹脂シート１２の外側に絶縁保護シートを被せる構成の場合について説明したが、絶縁保護シートをゴム系絶縁性樹脂シート１２と同一の素材により形成して、電池容器１１と捲回電極群２１との間のゴム系絶縁性樹脂シート１２を省略する構成としてもよい。
【００４７】
図８Ａ〜図８Ｃは、本発明の一実施形態であるリチウムイオン二次電池の扁平形捲回電極群とゴム系絶縁性樹脂シートの他の構成例を説明する断面図である。
【００４８】
図８Ａに示す構成例は、ゴム系絶縁性樹脂シート１２を表面に配置した捲回軸芯１３を使用して扁平形捲回電極群２１を作製し、その扁平形捲回電極群２１の平坦部両側と電池容器１１との間にゴム系絶縁性樹脂シート１２を配置することによって作製される。
【００４９】
図８Ａに示す構成例によれば、扁平形捲回電極群２１を形成した後に、その中心穴部２１ａにゴム系絶縁性樹脂シート１２を挿入する作業を省略することができる。したがって、製造時間の短縮を図ることができ、また、工数の削減により製造コストを低減することができる。
【００５０】
図８Ｂに示す構成例は、扁平形捲回電極群２１を作製した後に、扁平形捲回電極群２１の外周部にゴム系絶縁性樹脂シート１２を配置し、かつ、扁平形捲回電極群２１の中心穴部２１ａにゴム系絶縁性樹脂シート１２を配置することによって作製される。
【００５１】
図８Ｂに示す構成例によれば、扁平形捲回電極群２１の外周部にゴム系絶縁性樹脂シート１２を巻き付けることによって、ゴム系絶縁性樹脂シート１２を扁平形捲回電極群２１に簡単に固定配置することができる。したがって、ゴム系絶縁性樹脂シート１２の取り付け作業の簡略化を図ることができ、リチウムイオン二次電池の組み立て作業性を向上することができる。
【００５２】
図８Ｃに示す構成例は、ゴム系絶縁性樹脂シート１２を表面に配置した捲回軸芯１３を使用して扁平形捲回電極群２１を作製し、その扁平形捲回電極群２１の外周部にゴム系絶縁性樹脂シート１２を配置することによって作製される。
【００５３】
図８Ｃに示す構成例によれば、扁平形捲回電極群２１を形成した後に、その中心穴部２１ａにゴム系絶縁性樹脂シート１２を挿入する作業を省略することができる。したがって、製造時間の短縮を図ることができ、また、工数の削減により製造コストを低減することができる。そして、扁平形捲回電極群２１の外周部にゴム系絶縁性樹脂シート１２を巻き付けることによって、ゴム系絶縁性樹脂シート１２を扁平形捲回電極群２１に簡単に固定配置することができる。したがって、ゴム系絶縁性樹脂シート１２の取り付け作業の簡略化を図ることができ、リチウムイオン二次電池の組み立て作業性を向上することができる。
【００５４】
本発明のリチウムイオン二次電池は、角形に限定されるものではなく、円筒形であってもよい。図９Ａ、図９Ｂは、本発明の一実施形態であるリチウムイオン二次電池の円筒形捲回電極群とゴム系絶縁性樹脂シートの構成例を説明する断面図である。
【００５５】
図９Ａに示す構成例は、円筒形捲回電極群２２を作製した後に、円筒形捲回電極群２２の外周部にゴム系絶縁性樹脂シート１２を配置し、かつ、円筒形捲回電極群２２の内周部である中心穴部２２ａにゴム系絶縁性樹脂シート１２を配置することによって作製される。そして、図示していない円筒形の電池容器内に収容される。
【００５６】
図９Ａに示す構成によれば、扁平形捲回電極群２１と同様に、電池容器に金属異物が突き刺されあるいは貫通したときに、金属異物と円筒形捲回電極群２２との間にゴム系絶縁性樹脂シート１２を介在させることができ、円筒形捲回電極群２２の短絡を防ぐことができる。
【００５７】
図９Ｂに示す構成例は、ゴム系絶縁性樹脂シート１２を表面に配置した捲回軸芯１３を使用して円筒形捲回電極群２２を作製する。そして、その円筒形捲回電極群２２の外周部にゴム系絶縁性樹脂シート１２を配置することによって作製される。
【００５８】
図９Ｂに示す構成によれば、扁平形捲回電極群２１を形成した後に、その中心穴部２１ａにゴム系絶縁性樹脂シート１２を挿入する作業を省略することができる。したがって、製造時間の短縮を図ることができ、また、工数の削減により製造コストを低減することができる。
【００５９】
本実施形態では、バインダとしてＰＶＤＦを例示したが、ポリテトラフルオロエチレン（ＰＴＦＥ）、ポリエチレン、ポリスチレン、ポリブタジエン、ブチルゴム、ニトリルゴム、スチレン／ブタジエンゴム、多硫化ゴム、ニトロセルロース、シアノエチルセルロース、各種ラテックス、アクリロニトリル、フッ化ビニル、フッ化ビニリデン、フッ化プロピレン、フッ化クロロプレン等の重合体及びこれらの混合体などを使用するようにしてもよい。
【００６０】
また、本実施形態ではＥＣ、ＤＭＣの混合溶液中にＬｉＰＦ６を溶解した非水電解液を例示したが、一般的なリチウム塩を電解質とし、これを有機溶媒に溶解した非水電解液を用いるようにしてもよく、本発明は用いられるリチウム塩や有機溶媒には特に制限されない。例えば、電解質としては、ＬｉＣｌＯ４、ＬｉＡｓＦ６、ＬｉＢＦ４、ＬｉＢ（Ｃ６Ｈ５）４、ＣＨ３ＳＯ３Ｌｉ、ＣＦ３ＳＯ３Ｌｉ等やこれらの混合物を用いることができる。また、有機溶媒としては、プロピレンカーボネート、エチレンカーボネート、１，２−ジメトキシエタン、１，２−ジエトキシエタン、γ−ブチロラクトン、テトラヒドロフラン、１，３−ジオキソラン、４−メチル−１，３−ジオキソラン、ジエチルエーテル、スルホラン、メチルスルホラン、アセトニトリル、プロピオニトニル等またはこれら２種類以上の混合溶媒を用いるようにしてもよく、混合配合比についても制限されるものではない。
【００６１】
実施例として用いたゴム系絶縁性樹脂シートの種類、および物性値を下の表に示す。なお、伸びは、ゴム系絶縁性樹脂シートを破断するまで引っ張ったときの元の長さに対する伸びた長さの比である。そして、引き裂き強度は、ゴム系絶縁性樹脂シートを引き裂いたときに要した力によって求められる機械的強度であり、ＪＩＳ  Ｋ−６２５２に規定された試験方法によりトラウザ形試験片を作製して求めた。
【００６２】
【表１】
2013073809.tif 000003
【００６３】
比較例として用いたゴム系絶縁性樹脂シートの種類、および物性値を下の表に示す。
【表２】
2013073809.tif 000004
【００６４】
本発明に用いるゴム系絶縁性樹脂シート１２としては、その物性値からウレタンゴム、二トリルゴム、エチレンプロピレンゴムが好適である。また、その厚みとしては、0.1mmから1.0mmが好適であり、さらに好適には0.5mmから1.0mmである。厚みが薄いと過度の温度上昇を抑制する効果が弱くなり、厚みが厚いと電池の容量が目減りしてしまう。さらに、伸びとしては350％以上800％以下、引裂き強度は30N/mm以上53N/mm以下が好適である。
【００６５】
本発明は、上記実施形態によって制限されるものでない。例えば、ゴム系絶縁性樹脂シート１２の材質は、ウレタンゴム、二トリルゴム、エチレンプロピレンゴムのいずれか一つに限定されるものではなく、これらのうち少なくとも一種以上からなるものであればよい。
【符号の説明】
【００６６】
１     正極シート（正極電極）
１ａ   正極未塗工部
１ｂ   正極塗工部
２     負極シート（負極電極）
２ａ   負極未塗工部
２ｂ   負極塗工部
３     セパレータ
４     セパレータ
５     負極集電板
６     正極集電板
７     負極外部端子
８     正極外部端子
９     電池蓋
１０   注液口
１１   電池容器
１２   ゴム系絶縁性樹脂シート
１３   捲回軸心
１４   金属異物
２１   扁平形捲回電極群
２２   円筒形捲回電極群
Ｄ１   リチウムイオン二次電池
【図１】
2013073809.tif 000005
【図２】
2013073809.tif 000006
【図３】
2013073809.tif 000007
【図４】
2013073809.tif 000008
【図５】
2013073809.tif 000009
【図６】
2013073809.tif 000010
【図７Ａ】
2013073809.tif 000011
【図７Ｂ】
2013073809.tif 000012
【図８Ａ】
2013073809.tif 000013
【図８Ｂ】
2013073809.tif 000014
【図８Ｃ】
2013073809.tif 000015
【図９Ａ】
2013073809.tif 000016
【図９Ｂ】
2013073809.tif 000017